(57)【要約】【課題】内蔵された音叉型水晶片の機械的動作を観察できる表面実装音叉型水晶振動子を提供する。【解決手段】表面実装音叉型水晶振動子内部に、音叉型水晶片を照らす照明、例えばＬＥＤを内蔵し、音叉型水晶片の機械的動作を前記ＬＥＤの点滅周期を制御することによって観察可能とし、さらに、ＬＥＤ点滅周期制御回路、点滅周期制御回路用振動片、音叉型水晶片の発振回路を内蔵し、フタに拡大レンズ機能、例えばフレネルレンズ機能を持たせた照明内蔵表面実装音叉型水晶振動子とする。【選択図】      図６
2004282141.tif 000002
【特許請求の範囲】
【請求項１】
透明な材質のフタを有する表面実装音叉型水晶振動子において、照明を内蔵したことを特徴とする表面実装音叉型水晶振動子。
【請求項２】
内蔵した照明を発光ダイオ−ド（以下ＬＥＤ）としたことを特徴とする請求項１記載の表面実装音叉型水晶振動子。
【請求項３】
表面実装音叉型水晶振動子に照明の点滅周期制御回路を内蔵したことを特徴とする請求項２記載の表面実装音叉型水晶振動子。
【請求項４】
表面実装音叉型水晶振動子に音叉型水晶片の発振回路を内蔵したことを特徴とする請求項１、２または３記載の表面実装音叉型水晶振動子。
【請求項５】
前項表面実装音叉型水晶振動子に照明の点滅周期制御回路の周期発生源となる振動片を内蔵したことを特徴とする請求項１から４記載のいずれかの表面実装音叉型水晶振動子。
【請求項６】
透明なフタに拡大レンズ機能を持たせたことを特徴とする請求項１から５記載のいずれかの表面実装音叉型水晶振動子。
【発明の詳細な説明】
【０００１】
【発明の属する技術分野】
本発明は表面実装型の音叉型水晶振動子に関するものである。
【０００２】
【従来の技術】
圧電現象を利用した、音叉型水晶片及びＡＴカット水晶片等を内蔵する水晶振動子は軽薄短小化の目的から従来の円筒形の気密保持容器から表面実装型の気密保持容器へとその容器形状が移行しつつある。
【０００３】
表面実装型容器は一般的にセラミックよりなるベ−ス部と、前記表面実装型容器内部を気密保持する目的、或いは他の目的によりセラミック、金属、ガラス等からなるフタ部で構成されている。（例えば特許文献１参照）
【０００４】
一方、前述のような水晶振動子の中で、音叉型水晶振動子は安定した周波数の発振源として主に時計用の時間標準に使用されている。音叉型水晶振動子は、気密保持容器内部に内蔵された音叉型水晶片の音叉枝部が圧電現象により機械的な運動を行うことを利用し、周波数を取り出す機能を有している。
【０００５】
音叉型水晶片の圧電現象による機械的な運動形態を確認するには、高速で動作する物の動きを観察する方法、例えば電気式回転速度計のストロボスコ−プ式を応用した方法が挙げられる。ストロボスコ−プ式の場合、一般的には円盤状に等間隔にｍ個の印を書いてあり、点滅回数を１分間にｎ１回とし、円盤の回転数をｎ２（ｒｐｍ）とした場合、ｍ・ｎ２＝ｋ・ｎ１（ｋ＝１，２，３…）の時、印は止まって見える。前記計算式の関係が成り立たない場合、前記円盤上の印は実際の円盤回転数とは異なった回転で動いているように見える。図７は音叉型水晶片の音叉枝部の動きを示す摸式図である。
【０００６】
前述のストロボスコ−プ式を応用し、音叉型水晶片の機械的な運動形態を観察するためには、電気的な接続を行うための電極を接続した前記音叉型水晶片、前記音叉型水晶片の発振回路、前記音叉型水晶片を照らすための照明、照明の点滅周期制御回路を準備し、前記音叉型水晶片を発振させた状態で、照明を任意の周期で点滅させる手順が必要となる。
【０００７】
【特許文献１】
特開昭５２−９５１９１号公報（第３頁、第２図）
【０００８】
【発明が解決しようとする課題】
しかしながら、前述の音叉型水晶片の圧電現象による機械的な運動形態は、一般的に知られ、可視化できる手段があるにもかかわらず、多くの人が実際の音叉型水晶片の機械的な運動形態を見る機会はほとんどない。
【０００９】
また、前記音叉型水晶片を前述のような表面実装型容器に内蔵した場合、機械的な動作であるが故、音叉型水晶片の実装時の不具合により前記音叉型水晶片の音叉枝部が表面実装型容器内壁面に接触し、特性を悪化させてしまう不具合が確認されている。目視で確認を行うためには前記表面実装型容器を開封した後前述のようなストロボスコ−プ式の設備を用い、前記音叉型水晶片を発振させ、確認を行わなければならない。
【００１０】
また、前記音叉型水晶片の寸法は一般的に全長が１０ｍｍ以下、巾が３ｍｍ以下と非常に小型であるため、目視での外観形状確認は困難であり、通常前記音叉型水晶片の外観形状確認のためには数１０倍の倍率を持つ顕微鏡を用いて行うのが一般的である。
【００１１】
本発明の目的は、前記課題を解決しようとするもので、音叉型水晶片の圧電効果による音叉枝部のユニ−クな機械的な運動形態を容易に観察することが出来る照明内蔵音叉型水晶振動子を提供することにある。
【００１２】
【課題を解決するための手段】
上記目的を達成するため本発明は、音叉型水晶片を内蔵する表面実装型の音叉型水晶振動子において、気密保持容器は、透明な、例えばガラス製のフタを有し、さらに、気密保持容器内部に前記音叉型水晶片の機械的な運動形態を確認するための照明を内蔵した照明内蔵音叉型水晶振動子とする。
【００１３】
また、本発明に係わる照明内蔵音叉型水晶振動子は、前記記載の照明を制御のしやすさ、寸法形状の点からＬＥＤとする。
【００１４】
さらに、本発明に係わる照明内蔵音叉型水晶振動子は、任意の周期にて前記記載の照明を点滅させることができる照明の点滅周期制御回路を内蔵する。
【００１５】
さらに、本発明に係わる照明内蔵音叉型水晶振動子は、照明の点滅周期制御回路の信号源として、振動片を気密保持容器内に内蔵する。
【００１６】
さらに、本発明に係わる照明内蔵音叉型水晶振動子は、照明、照明の点滅周期制御回路、照明の点滅周期制御回路用振動片、音叉型水晶片の発振回路を内蔵する。
【００１７】
さらに、本発明に関わる照明内蔵音叉型水晶振動子は、気密保持容器内部の気密保持を行うためのフタに内部を拡大して観察可能な、例えばフレネルレンズの様な拡大鏡の機能を持たせた物とする。
【００１８】
【発明の実施の形態】
以下図面により本発明の実施形態を詳述する。図１は本発明による照明内蔵表面実装音叉型水晶振動子の第一実施形態で、上面図（ａ）と側面断面図（Ａ−Ａ断面）（ｂ）である。透明フタ１、音叉型水晶片２、表面実装型気密保持容器のベ−ス３、照明装置４からなり、照明装置４によって音叉型水晶片２を照らすことによって、音叉型水晶片２を観察可能となっている。照明装置４としてはＬＥＤ、ＥＬ、マイクロランプ等があげられるが、大きさ、制御のしやすさを考慮するとＬＥＤが好ましい。以下、照明装置４はＬＥＤ４で説明する。
【００１９】
図２は本発明による第一実施形態、照明内蔵音叉型水晶振動子のベ−スの下面図である。ＬＥＤ用電極５は本気密保持容器が実装される回路基板上に設けられたＬＥＤ制御回路へ接続し、音叉型水晶片用電極６は前記回路基板上に設けられた音叉型水晶片発振用回路へ接続される。前記ＬＥＤ点滅周期制御回路は、前記音叉型水晶片の機械的な運動形態を観察するために、前記音叉型水晶片の発振周期より、任意の周期だけずらした周期にてＬＥＤを点滅させる動作を行う。
【００２０】
図３は本発明による照明内蔵表面実装音叉型水晶振動子の第二実施形態であり、側面断面図である。ＩＣ化されたＬＥＤ点滅周期制御回路７を本気密保持容器内に内蔵することによって、前記回路基板に対して余計な回路構成を行う必要をなくした構成の照明内蔵表面実装音叉型水晶振動子である。
【００２１】
図４は本発明による照明内蔵表面実装音叉型水晶振動子の第三実施形態であり、側面断面図である。前記の気密保持容器内部にさらにＩＣ化された音叉型水晶片発振回路８を内蔵することによって、本気密保持容器単独で内蔵される音叉型水晶片２の機械的な運動形態を常に確認することができる様に構成された照明内蔵表面実装音叉型水晶振動子である。
【００２２】
図５は本発明による照明内蔵表面実装音叉型水晶振動子の第四実施形態であり、側面断面図である。ＬＥＤ点滅周期制御回路７は、音叉型水晶片２の発振周期と同調した点滅周期を得るために、周期の基準が必要となる。該周期の基準用振動片１０を第三実施形態と同一の気密保持容器内に収納した照明内蔵表面実装音叉型水晶振動子である。
【００２３】
図６は本発明による照明内蔵表面実装音叉型水晶振動子の第五実施形態であり、側面断面図である。本発明に係わる音叉型水晶片２は非常に小型であるため、肉眼で観察することは困難である。従って、透明フタ１の表面に拡大レンズ機能を持った、フレネルレンズ構造のフタ９によって、本気密保持容器を封止することにより本気密保持容器内部が拡大され、肉眼での観察が容易となる機能を持った照明内蔵表面実装音叉型水晶振動子である。
【００２４】
【発明の効果】
本発明によると、フタを透明にし、照明装置を内蔵したので、音叉型水晶片発振回路と照明点滅周期制御回路に接続することで、音叉型水晶片の機械的な運動を確認できるようになった。また、照明装置をＬＥＤとすることにより照明装置の取り扱いが容易になった。
ＬＥＤ点滅周期制御回路、音叉型水晶片発振回路、振動片発振回路を内蔵することで、それぞれの外部回路が必要なく音叉型水晶片の機械的な運動を確認できるようになった。
フタに拡大レンズ機能を持たせることで、内蔵された音叉型水晶片の機械的な運動形態を照明内蔵表面実装音叉型水晶振動子単独で観察可能となった。
【００２５】
音叉型水晶片の機械的動作の観察が可能となったので、音叉型水晶片発振時の音叉枝部と気密保持容器壁面とのクリアランス量の確認が行えるようになった。
【図面の簡単な説明】
【図１】本発明による照明内蔵表面実装音叉型水晶振動子の第一実施形態で、上面図（ａ）と側面断面図（Ａ−Ａ断面）（ｂ）
【図２】本発明による第一実施形態、照明内蔵音叉型水晶振動子のベ−スの下面図
【図３】本発明による照明内蔵表面実装音叉型水晶振動子の第二実施形態であり、側面断面図
【図４】本発明による照明内蔵表面実装音叉型水晶振動子の第三実施形態であり、側面断面図
【図５】本発明による照明内蔵表面実装音叉型水晶振動子の第四実施形態であり、側面断面図
【図６】本発明による照明内蔵表面実装音叉型水晶振動子の第五実施形態であり、側面断面図
【図７】音叉型水晶片の音叉枝の動きを示す摸式図
【符号の説明】
１    透明フタ
２    音叉型水晶片
３    照明内蔵音叉型水晶振動子のベ−ス部
４    ＬＥＤ
５    ＬＥＤ用電極
６    音叉型水晶片用電極
７    ＬＥＤ点滅周期制御回路
８    音叉型水晶片発振回路
９    フレネルレンズ構造のフタ
１０    ＬＥＤ点滅周期制御用振動片
１１    下面フタ
【図１】
2004282141.tif 000003
【図２】
2004282141.tif 000004
【図３】
2004282141.tif 000005
【図４】
2004282141.tif 000006
【図５】
2004282141.tif 000007
【図６】
2004282141.tif 000008
【図７】
2004282141.tif 000009